(57)【要約】【課題】  球体清浄化装置において、駆動機構を追加することなく、球体表面のより多くを清浄化できるようにする。【解決手段】  複数の遊技球Ｂを一列に並べて搬送する揚送経路３２に介設され、遊技球Ｂの表面を清浄化する遊技球清浄化装置（球体清浄化装置）２５であって、複数の遊技球Ｂを搬送ガイドする管状の搬送ガイド部材３３と、搬送ガイド部材３３の側面開口部３３ａを介して管内の遊技球Ｂに接触し、遊技球Ｂの表面を清浄化する清浄化部材３４とを備えるとともに、搬送ガイド部材３３の内周には、遊技球Ｂの自転を促す螺旋溝３３ｂが形成される。【選択図】  図４
2006238995.tif 000002
【特許請求の範囲】
【請求項１】
複数の球体を一列に並べて搬送する搬送経路に設けられ、球体表面を清浄化する球体清浄化装置であって、
複数の球体を搬送ガイドする管状の搬送ガイド部材と、
前記搬送ガイド部材の側面開口部を介して管内の球体に接触し、球体表面を清浄化する清浄化部材とを備えるとともに、
前記搬送ガイド部材の内周には、球体の自転を促す螺旋溝が形成されることを特徴とする球体清浄化装置。
【請求項２】
前記清浄化部材は、多数の毛で球体表面を清浄化するブラシである請求項１記載の球体清浄化装置。
【請求項３】
前記ブラシの位置を補正するブラシ位置補正手段を備える請求項２記載の球体清浄化装置。
【請求項４】
前記ブラシ位置補正手段は、前記毛の摩滅に応じて前記ブラシの位置を自動的に補正する請求項３記載の球体清浄化装置。
【請求項５】
遊技球を貯溜する貯溜タンクと、
前記貯溜タンク内の遊技球を賞球として遊技者に払い出す払い出し装置と、
遊技者がゲームに賭けた遊技球を取り込む取り込み装置と、
前記取り込み装置が取り込んだ遊技球を、前記貯溜タンクまで一列に並べて揚送するリフタ装置と、
前記リフタ装置の搬送経路に設けられ、遊技球表面を清浄化する遊技球清浄化装置とを備える遊技機であって、
前記遊技球清浄化装置として、請求項１〜４のいずれかに記載の球体清浄化装置を備えることを特徴とする遊技機。
【発明の詳細な説明】
【技術分野】
【０００１】
本発明は、遊技球（パチンコ球）、ゴルフボールなどの球体を清浄化する球体清浄化装置と、遊技球を使用して遊技されるスロットマシンなどの遊技機に関する。
【背景技術】
【０００２】
遊技球、ゴルフボールなどの球体を清浄化する球体清浄化装置が知られている（例えば、特許文献１〜３参照）。遊技球用の球体清浄化装置は、通常、パチンコ島の遊技球循環経路（多列リフタ装置）に設けられ、遊技球が回収樋から補給樋に還元される過程で、遊技球の清浄化を行っている。
【０００３】
近年、遊技機規則（回動式遊技機に係る技術上の規格）の改正により、遊技球を使用して遊技するスロットマシン（以下、玉式スロットマシンという）が認められた。遊技球は、装置による取り扱い性がメダルに比べて優れているため、玉式スロットマシンでは、遊技者による遊技媒体の投入操作を自動化できるなどの利点がある。
【０００４】
玉式スロットマシンは、特許文献４に示すように、遊技球を島単位で循環使用するタイプと、特許文献５に示すように、遊技球を遊技機単位で循環使用するタイプとに分けることができる。前者は、既存のパチンコ島でも容易に設置できる反面、遊技球循環設備を持たない既存のスロット島や新規島に設置することはできない。
【０００５】
一方、後者は、遊技球循環設備を持たない既存のスロット島や新規島でも設置が可能であるが、玉式スロットマシン内の遊技球循環経路に、遊技球用の球体清浄化装置を設ける必要がある。例えば、特許文献５に記載の玉式スロットマシンは、取り込んだ遊技球を上部の貯溜タンクまで一列に並べて揚送するリフタ装置（揚送装置）を備えるとともに、リフタ装置の搬送経路に球体清浄化装置（研磨装置）を設置し、遊技球の清浄化を行っている。
【０００６】
【特許文献１】特開２０００−１２６４３３号公報
【特許文献２】特開２００２−１０３１９８号公報
【特許文献３】特開平７−１４４０２８号公報
【特許文献４】特公平８−１１１３８号公報
【特許文献５】特開２００３−７０９６５号公報
【発明の開示】
【発明が解決しようとする課題】
【０００７】
しかしながら、上記のリフタ装置で搬送される遊技球は、上下に並ぶ遊技球によって互に拘束されるため、ほとんど回転することなく球体清浄化装置を通過してしまう。その結果、遊技球表面のごく一部しか清浄化部材（研磨布）に接触せず、十分な清浄化が行われない可能性がある。これは、特許文献１に記載のように、搬送パイプの内周面に研磨材を設けた場合も同様である。
【０００８】
また、特許文献５に示される球体清浄化装置では、テープ状の研磨布が収納された研磨カセットを用いるが、このような構成によれば、使用済みの研磨布を巻き取る駆動機構が必要になるだけでなく、カセット交換によるランニングコストの増大も懸念される。
【０００９】
なお、特許文献３には、直線状の回転ブラシと、外ねじ式の送りねじの回転により、ゴルフボールなどの球体全面を洗浄する方法が示されているが、このような方法を適用するには、回転ブラシや送りねじを回転させる駆動機構が必要であるため、球体清浄化装置の大幅なコストアップが懸念される。
【００１０】
本発明は、上記の事情にかんがみなされたものであり、駆動機構を用いることなく、球体表面のより多くを清浄化できる球体清浄化装置の提供を目的とし、更には、このような球体清浄化装置によって遊技球の清浄化を行う遊技機の提供を目的とする。
【課題を解決するための手段】
【００１１】
上記目的を達成するため、本発明の球体清浄化装置は、請求項１に記載するように、複数の球体を一列に並べて搬送する搬送経路に設けられ、球体表面を清浄化する球体清浄化装置であって、複数の球体を搬送ガイドする管状の搬送ガイド部材と、前記搬送ガイド部材の側面開口部を介して管内の球体に接触し、球体表面を清浄化する清浄化部材とを備えるとともに、前記搬送ガイド部材の内周には、球体の自転を促す螺旋溝が形成される構成としてある。
【００１２】
このようにすると、搬送ガイド部材の内周に形成される螺旋溝で球体の自転を促すことにより、球体表面と清浄化部材の接触機会を増やすことができる。これにより、駆動機構を設けなくても、球体表面のより多くを清浄化することが可能になる。
なお、搬送ガイド部材の側面開口部の幅は、清浄される球体の直径よりも小さく形成してあり、ブラシ等からなる清浄化部材を取り外しても球体が搬送ガイド部材の外に飛び出すことがなく、ブラシの交換や装置の洗浄，メンテナンス等も容易に行うことができる。
【００１３】
また、請求項２に記載するように、前記清浄化部材は、多数の毛で球体表面を清浄化するブラシとしてある。
このようにすると、研磨布に比べて寿命が長いブラシを用いることにより、ランニングコストの低減が図れる。
【００１４】
また、請求項３に記載するように、前記ブラシの位置を補正するブラシ位置補正手段を備える構成としてある。
このようにすると、ブラシの毛が摩滅しても、ブラシ位置を適切に補正し、ブラシと球体の良好な接触状態を維持できる。
【００１５】
また、請求項４に記載するように、前記ブラシ位置補正手段は、前記毛の摩滅に応じて前記ブラシの位置を自動的に補正する構成としてある。
このようにすると、毛の摩滅に応じたブラシ位置の自動補正により、ブラシと球体の良好な接触状態を維持できるだけでなく、手動位置補正の手間を省くことができる。
【００１６】
また、本発明の遊技機は、請求項５に記載するように、遊技球を貯溜する貯溜タンクと、前記貯溜タンク内の遊技球を賞球として遊技者に払い出す払い出し装置と、遊技者がゲームに賭けた遊技球を取り込む取り込み装置と、前記取り込み装置が取り込んだ遊技球を、前記貯溜タンクまで一列に並べて揚送するリフタ装置と、前記リフタ装置の搬送経路に設けられ、遊技球表面を清浄化する遊技球清浄化装置とを備える遊技機であって、前記遊技球清浄化装置として、請求項１〜４のいずれかに記載の球体清浄化装置を備える構成としてある。
このようにすると、遊技機に駆動機構を追加しなくても、遊技機内で循環使用される遊技球を良好に清浄化することが可能になる。
【発明の効果】
【００１７】
本発明の球体清浄化装置によれば、搬送ガイド部材の内周に形成される螺旋溝で球体の自転を促すことにより、球体表面と清浄化部材の接触機会を増やすことができ、その結果、駆動機構を設けなくても、球体表面のより多くを清浄化することが可能になる。
また、搬送ガイド部材の側面開口部の幅は、清浄対象となる球体の直径よりも小さく形成され、清浄化部材を取り外しても球体が搬送ガイド部材の外に飛び出すことがなく、装置の洗浄，メンテナンス等を容易に行うことができる。
そして、本発明の球体清浄化装置を遊技機に適用した場合には、遊技機に駆動機構を追加しなくても、遊技機内で循環使用される遊技球を良好に清浄化することができる。
【発明を実施するための最良の形態】
【００１８】
以下、本発明の球体清浄化装置と球体清浄化装置を備えた遊技機の好ましい実施形態について、図面を参照して説明する。
図１は、本発明の実施形態に係る遊技機の正面図、図２は、本発明の実施形態に係る遊技機の内部背面図、図３は、本発明の実施形態に係る遊技機の内部側面図である。
これらの図に示す遊技機１は、遊技球Ｂ（パチンコ球）を使用して遊技される玉式スロットマシンであって、遊技機１の前面開口部を開閉する前扉１０の前面側には、遊技球Ｂを投入する投入口１１と、ゲームに掛ける遊技球Ｂの個数を指定するＢＥＴスイッチ１２及びＭＡＸＢＥＴスイッチ１３と、回胴１４（１４ａ〜１４ｃ）の回転をスタートさせるスタートレバー１５と、回胴１４の回転を停止させる三つのストップボタン１６（１６ａ〜１６ｃ）と、投入された遊技球Ｂを返却する返却ボタン１７と、遊技球Ｂ（賞球及び返却球）を払い出す払い出し口１８と、払い出し口１８から払い出された遊技球Ｂを溜める受け皿１９とを備えている。
【００１９】
また、遊技機１の内部には、回胴１４が組込まれるドラムユニット２０と、遊技球Ｂを貯溜する貯溜タンク２１と、貯溜タンク２１内の遊技球Ｂを賞球として受け皿１９に払い出す払い出し装置２２と、投入口１１に投入された遊技球Ｂを遊技者のＢＥＴ操作に応じて遊技機内に取り込む取り込み装置２３と、取り込み装置２３が取り込んだ遊技球Ｂを、貯溜タンク２１まで一列に並べて揚送するリフタ装置２４と、リフタ装置２４の搬送経路で遊技球Ｂの表面を清浄化する遊技球清浄化装置（球体清浄化装置）２５と、ドラムユニット２０などを制御する制御部（図示せず）とを備えている。
【００２０】
遊技機１での遊技を望む遊技者は、まず、所定の単価で遊技球Ｂを借りる。ここで貸し出される遊技球Ｂの単価は、現行のパチンコ遊技機で使用されるパチンコ球の単価と一致させることが好ましい。このようにすると、玉式スロットマシンとパチンコ遊技機との間で遊技球Ｂの共用が可能になるだけでなく、ホールに設置される既存の遊技球設備（遊技球計数機など）を流用できる。なお、遊技球Ｂの貸し出しは、台間玉貸し機２６や遊技機１で行うことができる。
【００２１】
遊技球Ｂの単価を現行のパチンコ球と一致させる場合、遊技球Ｂの単価は４円であり、現行のスロットマシンで使用されるメダルの単価（２０円）の１／５となる。したがって、ゲームに賭ける遊技球Ｂは５個単位で扱われ、一回のゲームの最大賭け数は１５個（メダル３枚相当）となる。また、ゲームの入賞内容に応じて払い出される遊技球Ｂも５個単位であり、一回の最大払い出し数は７５個（メダル１５枚相当）となる。
【００２２】
遊技者は、投入口１１に所定数以上の遊技球Ｂを投入した後、ＢＥＴスイッチ１２又はＭＡＸＢＥＴスイッチ１３を操作し、ゲームに賭ける遊技球Ｂの個数を決める。例えば、ＢＥＴスイッチ１２を一回操作すると、一ゲームに５個の遊技球Ｂが賭けられ、ＢＥＴスイッチ１２を二回操作すると、一ゲームに１０個の遊技球Ｂが賭けられ、ＢＥＴスイッチ１２を三回又はＭＡＸＢＥＴスイッチ１３を一回操作すると、一ゲームに１５個の遊技球Ｂが賭けられる。
【００２３】
取り込み装置２３は、投入口１１から投入された遊技球Ｂを５個単位で保持するとともに、ＢＥＴスイッチ１２又はＭＡＸＢＥＴスイッチ１３の操作に応じて、遊技球Ｂを５個単位で遊技機内に取り込む。ここで取り込まれた遊技球Ｂは、取り込み経路２７を経由し、リフタ装置２４に送られる。また、設定賭け数に対して遊技球Ｂの投入個数が不足している場合や、返却ボタン１７が操作された場合には、切り換え機２８により経路の切り換えが行われ、取り込み装置２３内の遊技球Ｂが受け皿１９に返却される。
【００２４】
遊技者は、ＢＥＴスイッチ１２又はＭＡＸＢＥＴスイッチ１３を操作した後、スタートレバー１５の操作にもとづいて、三つの回胴１４を回転させ、その後、ストップボタン１６の操作にもとづいて、各回胴１４の回転を順次停止させる。各回胴１４の外周には、複数の図柄が配列されており、有効ライン上の停止図柄にもとづいて、入賞役が決定される。
【００２５】
払い出し装置２２は、貯溜タンク２１から供給される遊技球Ｂを５個単位で保持するとともに、ゲームの入賞内容に応じて、遊技球Ｂを５個単位で排出する。払い出し装置２２が排出した遊技球Ｂは、通常、払い出し経路２９を経由し、受け皿１９に払い出されるが、払い出し装置２２において賞球個数エラーなどが発生した場合には、切り換え機３０により経路の切り換えが行われ、払い出し装置２２内の遊技球Ｂがリフタ装置２４に送られる。なお、本実施形態の貯溜タンク２１には、隣接する遊技機１との間で遊技球Ｂを融通するために、遊技球Ｂを水平方向に搬送する螺旋搬送体３１が組み込まれているが、螺旋搬送体３１の有無は任意に選択できる。
【００２６】
リフタ装置２４は、取り込み装置２３や払い出し装置２２から送られてきた遊技球Ｂを、ほぼ垂直に立ち上がる揚送経路３２を経由し、一列に並ぶ状態で貯溜タンク２１まで揚送する。本実施形態のリフタ装置２４は、取り込み装置２３や払い出し装置２２から送られてきた遊技球Ｂを直ちに揚送するが、取り込み装置２３や払い出し装置２２から送られてきた遊技球Ｂを一旦貯溜する下部貯溜タンクを設け、この下部貯溜タンクや貯溜タンク２１の貯溜状況に応じて、遊技球Ｂの揚送を行うようにしてもよい。また、リフタ装置２４に設ける球体揚送機構の構造に制限はない。例えば、特開２０００−１２６４３３号公報や、特開２００３−７０９６５号公報に示されるように、スプロケット状の送りロータと、これを駆動するモータとからなる公知の球体揚送機構を用いることができる。
【００２７】
［第一実施形態］
図４は、本発明の第一実施形態に係る遊技球清浄化装置の側面図、図５は、本発明の第一実施形態に係る遊技球清浄化装置のＡ−Ａ断面図、図６は、本発明の第一実施形態に係る遊技球清浄化装置のＢ−Ｂ断面図である。
図４及び図５に示すように、遊技球清浄化装置２５は、リフタ装置２４の揚送経路３２に介設され、複数の遊技球Ｂを搬送ガイドする管状の搬送ガイド部材３３と、搬送ガイド部材３３の側面開口部３３ａを介して管内の遊技球Ｂに接触し、遊技球Ｂの表面を清浄化する清浄化部材３４とを備えている。
【００２８】
図６に示すように、搬送ガイド部材３３の内周には、遊技球Ｂの自転を促す螺旋溝３３ｂが形成されている。すなわち、一列に並んで揚送される遊技球Ｂは、上下に隣接する遊技球Ｂによって互に拘束されるが、螺旋溝３３ｂが形成された内周面に接触すると、その接触抵抗によって揚送力の一部が回転力に変換され、遊技球Ｂの自転が促される。これにより、駆動機構を追加することなく、遊技球Ｂと清浄化部材３４の接触機会を増やし、遊技球Ｂの表面のより多くを清浄化することが可能になる。なお、本実施形態では、螺旋溝３３ｂを形成するにあたり、搬送ガイド部材３３の内周に螺旋加工を施しているが、搬送ガイド部材３３の内周に螺旋状の別部材（例えば、コイルスプリング形状の部材）を一体的に設けてもよい。
【００２９】
本実施形態の清浄化部材３４は、いわゆるブラシであり、板状のブラシホルダ３５と、ブラシホルダ３５の一側面に植設される多数の毛３６とを備える。ブラシホルダ３５は、搬送ガイド部材３３に突設される上下一対のブラケット３７に、それぞれ軸部材３８を介して支持されており、このブラシホルダ３５から搬送ガイド部材３３に向けて突出する毛３６の先端が、搬送ガイド部材３３の側面開口部３３ａを介して管内の遊技球Ｂに接触することにより、遊技球Ｂの表面が清浄化される。
ここで、搬送ガイド部材３３の側面開口部３３ａの幅は、図５に示すように、清浄される遊技球Ｂの直径よりも小さく形成してあり、遊技球Ｂは側面開口部３３ａから搬送ガイド部材３３の外に脱落しないように保持される。これによって、ブラシホルダ３５等を取り外しても遊技球Ｂが搬送ガイド部材３３の外に飛び出すことはなく、ブラシの交換や装置の洗浄，メンテナンス等が容易に行えるようになっている。
【００３０】
ブラシホルダ３５は、搬送ガイド部材３３に対する位置を補正できるようになっている。これは、毛３６が摩滅しても、毛３６と遊技球Ｂの良好な接触状態を維持するためである。本実施形態では、ブラシホルダ３５に形成される軸部材３８の貫通孔３５ａを長孔とすることにより、ブラシホルダ３５の位置補正を許容している。
【００３１】
更に、ブラシホルダ３５は、毛３６の摩滅に応じて、自動的に位置補正されることが好ましい。このように構成すると、手動による位置補正の手間が省けるだけでなく、毛３６と遊技球Ｂの接触状態を常に良好に保つことができる。本実施形態では、ブラシホルダ３５の貫通孔３５ａを傾斜した長孔とし、ブラシホルダ３５を自重で搬送ガイド部材３３側に変位させる。これにより、毛３６が適度な負荷を受けながら遊技球Ｂに接触し、良好な清浄化作用が得られるだけでなく、毛３６の摩滅に応じてブラシホルダ３５の位置が自動補正される。
【００３２】
なお、清浄化部材３４の位置補正手段（ブラシ位置補正手段）は、上記のものに限定されない。例えば、平行リンク機構を用いてブラシホルダ３５の位置補正を行うようにしてもよい。また、上記の実施形態では、長孔の傾斜により、ブラシホルダ３５が自重で搬送ガイド部材３３側に変位するが、ブラシホルダ３５を搬送ガイド部材３３側に付勢するバネを設けてもよい。
【００３３】
以上のように構成された本実施形態に係る遊技機１の遊技球清浄化装置２５によれば、遊技球Ｂを搬送ガイドする管状の搬送ガイド部材３３と、搬送ガイド部材３３の側面開口部３３ａを介して管内の遊技球Ｂに接触し、遊技球Ｂの表面を清浄化する清浄化部材３４とを備えるが、搬送ガイド部材３３の内周には、遊技球Ｂの自転を促す螺旋溝３３ｂが形成されているので、遊技球Ｂの自転により、遊技球Ｂと清浄化部材３４の接触機会を増やすことができる。これにより、駆動機構を追加することなく、遊技球Ｂの表面のより多くを清浄化することが可能になる。
【００３４】
また、清浄化部材３４は、多数の毛３６で遊技球Ｂの表面を清浄化するブラシであるため、研磨布を用いる場合に比べて清浄化部材３４の寿命を延ばし、ランニングコストを低減することができる。
【００３５】
また、清浄化部材３４は、毛３６の摩滅に応じて、ブラシホルダ３５の位置を自動補正するので、毛３６の摩滅に拘わらず、毛３６と遊技球Ｂの良好な接触状態を維持できるだけでなく、手動によるブラシホルダ３５の位置補正を不要にし、メンテナンス性を向上させることができる。
【００３６】
［第二実施形態］
つぎに、本発明の第二実施形態に係る遊技球清浄化装置について、図７及び図８を参照して説明する。ただし、前記実施形態と共通の構成については、前記実施形態と同じ符号を付け、前記実施形態の説明を援用する。
【００３７】
図７は、本発明の第二実施形態に係る遊技球清浄化装置の側面図、図８は、本発明の第二実施形態に係る遊技球清浄化装置のＣ−Ｃ断面図である。
これらの図に示される第二実施形態の遊技球清浄化装置３９は、二つの清浄化部材３４を備え、これらの清浄化部材３４が、搬送ガイド部材３３の二つの側面に形成される側面開口部３３ａを介して、管内の遊技球Ｂに同時に接触する点が第一実施形態と相違している。このような構成によれば、第一実施形態に比べて、遊技球Ｂと毛３６の接触面積が倍増するので、遊技球Ｂをより良好に清浄化することが可能になる。
【００３８】
［第三実施形態］
つぎに、本発明の第三実施形態に係る遊技球清浄化装置について、図９及び図１０を参照して説明する。ただし、前記実施形態と共通の構成については、前記実施形態と同じ符号を付け、前記実施形態の説明を援用する。
【００３９】
図９は、本発明の第三実施形態に係る遊技球清浄化装置の側面図、図１０は、本発明の第三実施形態に係る遊技球清浄化装置の平面図である。
これらの図に示される第三実施形態の遊技球清浄化装置４０は、清浄化部材３４の位置補正を手動で行う点が第一実施形態と相違している。具体的には、ブラシホルダ３５の貫通孔３５ａが水平な長孔であり、ここを貫通する軸部材が蝶ネジ４１で構成されている。このような構成によれば、毛３６が摩滅した場合、蝶ネジ４１を緩めてから、ブラシホルダ３５を搬送ガイド部材３３側に変位させ、その後、蝶ネジ４１を締め付けることにより、ブラシホルダ３５の位置を適正に手動補正し、毛３６と遊技球Ｂの良好な接触状態を維持することができる。
【００４０】
［第四実施形態］
つぎに、本発明の第四実施形態に係る遊技球清浄化装置について、図１１及び図１２を参照して説明する。ただし、前記実施形態と共通の構成については、前記実施形態と同じ符号を付け、前記実施形態の説明を援用する。
【００４１】
図１１は、本発明の第四実施形態に係る遊技球清浄化装置の縦断面図、図１２は、本発明の第四実施形態に係る遊技球清浄化装置の横断面図である。
これらの図に示される第四実施形態の遊技球清浄化装置４２は、清浄化部材がブラシではなく、紙又は布からなるシート状部材４３で構成される点が第一実施形態と相違している。具体的には、搬送ガイド部材３３に二つの側面開口部３３ａが形成されるとともに、これらの側面開口部３３ａを塞ぐように、搬送ガイド部材３３の外周にシート状部材４３を巻き付け、このシート状部材４３を、搬送ガイド部材３３の外周に沿う着脱自在なシートホルダ４４で保持する。このような構成であっても、搬送ガイド部材３３内を揚送される遊技球Ｂは、螺旋溝３３ｂによる自転作用を受けながら、シート状部材４３に積極的に接触し、より多くの面積が良好に清浄化されることになる。
【００４２】
以上、本発明の球体清浄化装置とこの球体清浄化装置を備えた遊技機について、好ましい実施形態を示して説明したが、本発明は、上述した実施形態にのみ限定されるものではなく、本発明の範囲で種々の変更実施が可能であることは言うまでもない。
例えば、本発明の球体清浄化装置によって清浄される球体として、上述した実施形態ではパチンコ遊技やスロットマシン遊技に使用される遊技球を例にとって説明したが、本発明の清浄化対象となる球体は、特にパチンコ遊技等の遊技球に限られるものではない。例えば、ゴルフボールや野球ボール等、清浄化が必要となる任意の球体を対象とすることができる。
【００４３】
また、本発明の球体清浄化装置が備えられる遊技機としては、上述した実施形態では、遊技球を使用して遊技される玉式スロットマシンを例にとって説明したが、本発明に係る球体清浄化装置を備える遊技機としては、遊技球を使用して遊技を行う各種の遊技機であれば、玉式スロットマシン以外にも、パチンコ機，アレンジボール機，雀球機等、その種類や機種，設置形態等は特に限定されない。
【産業上の利用可能性】
【００４４】
本発明は、遊技球、ゴルフボールなどの球体を清浄化する球体清浄化装置や、遊技球を使用して遊技されるスロットマシンなどの遊技機に適用される。特に、遊技球を遊技機単位で循環使用するタイプの玉式スロットマシンにおいて有用である。
【図面の簡単な説明】
【００４５】
【図１】本発明の実施形態に係る遊技機の正面図である。
【図２】本発明の実施形態に係る遊技機の内部背面図である。
【図３】本発明の実施形態に係る遊技機の内部側面図である。
【図４】本発明の第一実施形態に係る遊技球清浄化装置の側面図である。
【図５】本発明の第一実施形態に係る遊技球清浄化装置のＡ−Ａ断面図である。
【図６】本発明の第一実施形態に係る遊技球清浄化装置のＢ−Ｂ断面図である。
【図７】本発明の第二実施形態に係る遊技球清浄化装置の側面図である。
【図８】本発明の第二実施形態に係る遊技球清浄化装置のＣ−Ｃ断面図である。
【図９】本発明の第三実施形態に係る遊技球清浄化装置の側面図である。
【図１０】本発明の第三実施形態に係る遊技球清浄化装置の平面図である。
【図１１】本発明の第四実施形態に係る遊技球清浄化装置の縦断面図である。
【図１２】本発明の第四実施形態に係る遊技球清浄化装置の横断面図である。
【符号の説明】
【００４６】
１  遊技機
１１  投入口
１８  払い出し口
１９  受け皿
２１  貯溜タンク
２２  払い出し装置
２３  取り込み装置
２４  リフタ装置
２５，３９，４０，４２  遊技球清浄化装置
３２  揚送経路
３３  搬送ガイド部材
３３ａ  側面開口部
３３ｂ  螺旋溝
３４  清浄化部材
３５  ブラシホルダ
３６  毛
Ｂ  遊技球
【図２】
2006238995.tif 000003
【図３】
2006238995.tif 000004
【図４】
2006238995.tif 000005
【図５】
2006238995.tif 000006
【図６】
2006238995.tif 000007
【図７】
2006238995.tif 000008
【図８】
2006238995.tif 000009
【図９】
2006238995.tif 000010
【図１０】
2006238995.tif 000011
【図１１】
2006238995.tif 000012
【図１２】
2006238995.tif 000013
【図１】
2006238995.tif 000014